【手続補正書】
【提出日】平成18年2月6日(2006.2.6)
【手続補正１】
【補正対象書類名】明細書
【補正対象項目名】特許請求の範囲
【補正方法】変更
【補正の内容】
【特許請求の範囲】
【請求項１】
装置本体と、
前記装置本体に内設され、白色光を出力する光源手段と、
前記光源手段からの白色光を入力し複数の原色光に分光して出力する分光器と、
前記分光器によって出力された複数の原色光にそれぞれ対応して受けて、映像を構成するための光を反射するデジタルマイクロミラーデバイス手段と、
前記デジタルマイクロミラーデバイス手段からの光を透過させ、所望の大きさに拡大した映像を得るための投影用光学手段と、
前記投影用光学手段の後段に配設され、前記投影用光学手段を透過して来る投影光を遮蔽し得る蓋体と、
前記蓋体の投影用の光を遮蔽する側の面に付設され、前記投影用光学手段からの投影光に係る色温度を検出するためのセンサ手段と、
前記投影用光学手段を前記装置本体に対して投影用光学手段の光軸に垂直にスライドさせるスライド手段と、
前記投影用光学手段が前記スライド手段によってスライドされる際に、前記センサ手段を前記投影用光学手段に追従してスライドさせる追従手段と、
前記デジタルマイクロミラーデバイス手段からの光が映像に係るデータに基づいて所定の映像を構成するように、且つ、前記センサ手段からの検出結果に基づいて投影光のホワイトバランスが所望通りの出力となるように前記デジタルマイクロミラーデバイス手段の作動の制御を行なう制御手段と、
が具備されてなるプロジェクタ装置。
【請求項２】
前記制御手段が、前記投影用光学手段からの投影光の出力レベルを１００パーセントから０パーセントまで変化させる際に、各出力レベルに対応して色温度の調整を行なう請求項１に記載のプロジェクタ装置。
【請求項３】
前記追従手段が、前記投影用光学手段を保持するとともに、前記蓋体をスライド可能に保持する保持部材から構成される請求項１若しくは請求項２に記載のプロジェクタ装置。
【手続補正２】
【補正対象書類名】明細書
【補正対象項目名】０００１
【補正方法】変更
【補正の内容】
【０００１】
【発明の属する技術分野】
この発明は、光源からの白色光を受けてデジタルマイクロミラーデバイス手段及び投影用光学手段を介した投影光をスクリーン上に投射して所望の映像を得る、いわゆるデジタル・ライト・プロセッシング方式（以下、ＤＬＰ方式と称する。）のプロジェクタ装置に関する。
特に、投影用光学手段がその軸線に関して装置本体に対して垂直にスライドする構成であって、しかも、投影光のホワイトバランスの調整を高精度で簡便に得ることが可能なプロジェクタ装置に関する。
【手続補正３】
【補正対象書類名】明細書
【補正対象項目名】０００８
【補正方法】変更
【補正の内容】
【０００８】
つまり、光のホワイトバランスのセンシングを投影用の光そのものに行い、しかも、そのセンシング及びそのセンシング結果に基づく調整が簡便である必要がある。
斯かる目的に対して、本願発明の発明者は鋭意工夫し、投影用光学手段の後段に投影用光学手段を透過して来る投影光を遮蔽し得る、ケーシングに対してスライドする蓋体を備え、その蓋体に投影用の光に係る色温度を検出するためのセンサ手段を付設して所望通りのホワイトバランスが得られるように調整の制御を行なう構成のプロジェクタ装置を創案し、特許出願を行なっている（特願２００３−１７４６１３、２００３年６月１９日出願）。
【手続補正４】
【補正対象書類名】明細書
【補正対象項目名】００１０
【補正方法】変更
【補正の内容】
【００１０】
しかしながら、プロジェクタ装置は現在多機能性が求められ、スクリーン上の映像位置がスライド可能であることが考えられる。スクリーン上の映像位置をスライド可能なプロジェクタ装置は、装置本体に対して投影用光学手段がその軸線に垂直にスライドする構成となる。
斯かる構成では、上記特許出願のプロジェクタ装置では、蓋体と装置本体であるケーシングがスライド可能に連結された構成であるので、投影用光学手段が装置本体に対してスライドすることに対して蓋体が投影用光学手段の光出力側端部に追従させることができず、結果的に、投影用光学手段がその軸線に垂直にスライドする構成のプロジェクタ装置では簡便にホワイトバランスのセンシングを行なうことができないという問題が生じる。
【手続補正５】
【補正対象書類名】明細書
【補正対象項目名】００１１
【補正方法】変更
【補正の内容】
【００１１】
この発明は、上記の事情に鑑みてなされたものであって、スクリーン上の映像位置がスライド可能であるように装置本体に対して投影用光学手段がその軸線に垂直にスライド可能であって、投影光についてのホワイトバランスのセンシングと調整が妥当で正確に行うことが確保でき、しかも、そのホワイトバランスのセンシングと調整が大掛かりにならず簡便に行うことが可能なプロジェクタ装置を提供するものである。
【手続補正６】
【補正対象書類名】明細書
【補正対象項目名】００１２
【補正方法】変更
【補正の内容】
【００１２】
【課題を解決するための手段】
この発明の一態様は、投影用光学手段を装置本体に対して投影用光学手段の光軸に垂直にスライド可能とし、且つ、投影用光学手段が装置本体に対してスライドする際には、そのスライドする投影用光学手段に投影光に係る色温度を検出するセンサ手段が追従してスライドするように構成したプロジェクタ装置である。
【手続補正７】
【補正対象書類名】明細書
【補正対象項目名】００１３
【補正方法】変更
【補正の内容】
【００１３】
その詳細な構成は、装置本体と、前記装置本体に内設され、白色光を出力する光源手段と、前記光源手段からの白色光を入力し複数の原色光に分光して出力する分光器と、前記分光器によって出力された複数の原色光にそれぞれ対応して受けて、映像を構成するための光を反射するデジタルマイクロミラーデバイス手段と、前記デジタルマイクロミラーデバイス手段からの光を透過させ、所望の大きさに拡大した映像を得るための投影用光学手段と、前記投影用光学手段の後段に配設され、前記投影用光学手段を透過して来る投影光を遮蔽し得る蓋体と、前記蓋体の投影用の光を遮蔽する側の面に付設され、前記投影用光学手段からの投影光に係る色温度を検出するためのセンサ手段と、前記投影用光学手段を前記装置本体に対して投影用光学手段の光軸に垂直にスライドさせるスライド手段と、前記投影用光学手段が前記スライド手段によってスライドされる際に、前記センサ手段を前記投影用光学手段に追従してスライドさせる追従手段と、前記デジタルマイクロミラーデバイス手段からの光が映像に係るデータに基づいて所定の映像を構成するように、且つ、前記センサ手段からの検出結果に基づいて投影光のホワイトバランスが所望通りの出力となるように前記デジタルマイクロミラーデバイス手段の作動の制御を行なう制御手段と、が具備されてなるプロジェクタ装置である。
【手続補正８】
【補正対象書類名】明細書
【補正対象項目名】００１４
【補正方法】変更
【補正の内容】
【００１４】
上述した構成のプロジェクタ装置において、投影用光学手段がスライド手段の出力で装置本体に対して投影用光学手段の光軸に垂直にスライドすると、投影用光学手段からの投影光に係る色温度を検出するセンサ手段を保持する蓋体は追従手段によってスライドする投影用光学手段に追従してスライドする。
【手続補正９】
【補正対象書類名】明細書
【補正対象項目名】００２６
【補正方法】変更
【補正の内容】
【００２６】
加えて、プロジェクタ装置１は、投影用光学手段８を装置本体を構成するケーシング２に対して投影用光学手段８の光軸に垂直にスライドさせるスライド手段１８と、投影用光学手段８がスライド手段１８によってケーシング２に対してスライドされる際に、スライドする投影用光学手段８からの投影光に係る色温度を検出し得るようにセンサ手段１０を追従してスライドさせる追従手段１９が備えられている。
【手続補正１０】
【補正対象書類名】明細書
【補正対象項目名】００３９
【補正方法】変更
【補正の内容】
【００３９】
加えて、従来技術のように、スクリーン面で色温度のセンシングを行なう場合には、プロジェクタ装置からの投影光のみで他の光があってはならないから、色温度のセンシングの作業自体を明るさが極めて低い環境下で行なうので作業性が悪くなりがちである。
しかし、プロジェクタ装置１はまわりの明るさに関係なく色温度のセンシングを行うことができ、色温度のセンシング及びホワイトバランスの調整において作業性が確保されている。
【手続補正１１】
【補正対象書類名】明細書
【補正対象項目名】００５０
【補正方法】変更
【補正の内容】
【００５０】
以下において、プロジェクタ装置の他の形態例を説明する。
他の形態例のプロジェクタ装置は、装置本体と、その装置本体に内設された白色光を出力する光源手段と、その光源からの白色光を入力し複数の原色光に分光して出力するカラーホイール手段と、そのカラーホイール手段によって出力された複数の原色光にそれぞれ対応して受けて、映像を構成するための光を反射するデジタルマイクロミラーデバイス手段と、そのデジタルマイクロミラーデバイス手段からの光を透過させ、所望の大きさに拡大した映像を得るための投影用光学手段と、前記投影用光学手段の後段に配設され、投影用光学手段を透過して来る投影光を遮蔽し得る蓋体と、その蓋体の投影用の光を遮蔽する側の面に付設され、前記投影用光学手段からの投影光に係る色温度を検出するためのセンサ手段と、前記複数のデジタルマイクロミラーデバイス手段からの光が映像に係るデータに基づいて所定の映像を構成するように、前記カラーホイール手段とデジタルマイクロミラーデバイス手段の出力を制御し且つ前記センサ手段からの検出結果に基づいて投影光のホワイトバランスが所望通りの出力となるように調整の制御を行なう制御手段と、前記投影用光学手段を装置本体に対して投影用光学手段の光軸に垂直にスライドさせるスライド手段と、前記投影用光学手段がスライド手段によって装置本体に対してスライドされる際に、スライドする投影用光学手段からの投影光に係る色温度を検出し得るようにセンサ手段を追従してスライドさせる追従手段を備えて構成されている。
【手続補正１２】
【補正対象書類名】明細書
【補正対象項目名】００５４
【補正方法】変更
【補正の内容】
【００５４】
又、他の形態例のプロジェクタ装置はプロジェクタ装置１と同様にスライド手段の作用によって、投影用光学手段をその軸線に垂直に装置本体（ケーシング）に対してスライド移動が可能であって、映像をスクリーン上で所望の位置に移動させることができる。
更に、他の形態例のプロジェクタ装置は、投影用光学手段をその軸線に垂直に装置本体（ケーシング）に対してスライドさせた際、追従手段が作用して投影用光学手段のスライドにセンサ手段が追従して同じ方向に同じ距離だけスライドさせる構成になっている。
【手続補正１３】
【補正対象書類名】明細書
【補正対象項目名】００５７
【補正方法】変更
【補正の内容】
【００５７】
【発明の効果】
この発明は、投影用光学手段からの投影用の光を遮蔽する蓋体にセンサ手段を付設し、他方、投影用光学手段をその軸線に垂直に装置本体に対してスライド可能な構成とし、且つ、投影用光学手段のスライドにセンサ手段が追従させる構成としたことにより、明るい下で簡便で高い精度の色温度の検出及びホワイトバランスの調節が可能であり、又、スクリーン上での投影光による映像の位置を移動可能とし、更に、スクリーン上で投影光による映像の位置を移動させた際であってもセンサ手段が投影用光学手段のスライドに追従して色温度の検出及びホワイトバランスの調節を行ない得るプロジェクタ装置である。